(57)【要約】【課題】吸収性物品を衛生的に、且つ、コンパクトに包装・収納する。【解決手段】トップシート１１と、バックシート１２と、トップシートとバックシートとの間に配される吸収体１３とを備える複数の生理用ナプキン１が、包装部材２により包装されて、ロール状に巻回された生理用ナプキンの包装構造体１００である。包装部材は、生理用ナプキンをトップシート１１側から被覆するための表面カバーシート２１と、生理用ナプキンをバックシート１２側から被覆するための裏面カバーシート２２とを備えて構成されている。表面カバーシート及び裏面カバーシートのうち、少なくとも一方のカバーシートは連続的に帯状に繋がって形成されている。表面カバーシート及び裏面カバーシートにより生理用ナプキンが挟まれ、且つ、少なくとも表面カバーシート及び裏面カバーシートの長手方向Ｘの両縁部が互いに重ね合わされて封止されている。【選択図】        図１
2004290598.tif 000002
【特許請求の範囲】
【請求項１】
表面側に配されるトップシートと、裏面側に配されるバックシートと、前記トップシートと前記バックシートとの間に配される吸収体とを備える複数の吸収性物品が、包装部材により包装されて、ロール状に巻回された吸収性物品の包装構造であって、
前記包装部材は、前記吸収性物品を前記トップシート側から被覆するための表面カバーシートと、前記吸収性物品を前記バックシート側から被覆するための裏面カバーシートとを備えて構成され、
前記表面カバーシート及び前記裏面カバーシートのうち、少なくとも一方のカバーシートは連続的に帯状に繋がって形成され、
前記表面カバーシート及び前記裏面カバーシートにより前記吸収性物品が挟まれ、且つ、少なくとも前記表面カバーシート及び前記裏面カバーシートの長手方向の両縁部が互いに重ね合わされて封止されてなることを特徴とする吸収性物品の包装構造。
【請求項２】
請求項１に記載の吸収性物品の包装構造において、
前記包装部材は、隣り合う二つの前記吸収性物品間に、前記吸収性物品を個別に切り離すための切目が設けられていることを特徴とする吸収性物品の包装構造。
【請求項３】
請求項２に記載の吸収性物品の包装構造において、
前記表面カバーシート及び前記裏面カバーシートの前記切目の前後となる部分は、互いに重ね合わされ前記切目に沿って封止されてなることを特徴とする吸収性物品の包装構造。
【請求項４】
表面側に配されるトップシートと、裏面側に配されるバックシートと、前記トップシートと前記バックシートとの間に配される吸収体とを備える複数の吸収性物品が、包装部材により包装されて、ロール状に巻回された吸収性物品の包装構造であって、
前記包装部材は、前記吸収性物品を前記トップシート側から被覆するための表面カバーシートと、前記吸収性物品を前記バックシート側から被覆するための裏面カバーシートとを備えて構成され、
前記裏面カバーシートは、連続的に帯状に繋がって形成され、
前記裏面カバーシートに前記吸収性物品の裏面が粘着され、且つ、少なくとも前記表面カバーシートの前記裏面カバーシートの幅方向側の両縁部と、前記吸収性物品の前記表面カバーシートの幅方向側の両縁部とが重ね合わされて封止されてなることを特徴とする吸収性物品の包装構造。
【請求項５】
請求項４に記載の吸収性物品の包装構造において、
前記裏面カバーシートは、隣り合う二つの前記吸収性物品間に、前記吸収性物品を個別に切り離すための切目が設けられていることを特徴とする吸収性物品の包装構造。
【請求項６】
請求項４又は５に記載の吸収性物品の包装構造において、
前記表面カバーシートの幅方向の両縁部と、前記吸収性物品の幅方向の両縁部とは、重ね合わされて封止されてなることを特徴とする吸収性物品の包装構造。
【請求項７】
請求項１〜６の何れか一項に記載の吸収性物品の包装構造において、
前記吸収性物品は、その長手方向が前記包装部材の長手方向と略平行となるように配置され、
前記吸収性物品及び前記包装部材は、前記トップシートが内側となるように巻回されていることを特徴とする吸収性物品の包装構造。
【請求項８】
請求項１〜７の何れか一項に記載の吸収性物品の包装構造において、
前記表面カバーシート及び前記裏面カバーシートは、水解性を有する材料から構成されていることを特徴とする吸収性物品の包装構造。
【請求項９】
請求項１〜８の何れか一項に記載の吸収性物品の包装構造において、
前記吸収性物品の厚さは、８ｍｍ以下であることを特徴とする吸収性物品の包装構造。
【発明の詳細な説明】
【０００１】
【発明の属する技術分野】
本発明は、吸収性物品の包装構造に関する。
【０００２】
【従来の技術】
従来、吸収性物品として、例えば生理用ナプキンが知られており、表面（肌との当接面）側をなす液透過性のトップシートと、裏面側をなす液不透過性のバックシートと、これら各シート間に配置された液吸収性の吸収体とを有するものが一般的である。
この生理用ナプキンのような吸収性物品は、従来より、個別に折り畳んだ状態でフィルム等の包装部材により包装され、これら複数個がまとめられて全体包装が施されている。
ところで、上記のように吸収性物品を個別に折り畳んで包装した場合、吸収性物品が嵩張ってしまい、当該吸収性物品をコンパクトに収納・包装することが困難となっていた。
そこで、よりコンパクトに収納・包装可能な吸収性物品の包装構造として、複数個の吸収性物品を帯状の包装部材でロール状に包装した構造が提案されている（例えば、特許文献１参照。）。
【０００３】
【特許文献１】
特開平９−１５４８７８号公報
【０００４】
【発明が解決しようとする課題】
しかしながら、上記特許文献１の場合、包装部材の上面に各吸収性物品の裏面を粘着して、前記包装部材をロール状に巻回した状態となっているため、吸収性物品の肌との当接面をなすトップシートを衛生的に保つことは困難となっている。即ち、吸収性物品は、所定の厚さを有しているために、ロール状に巻回された状態で重なり合う包装部材どうしの間に隙間が生じてしまい、包装部材の長手方向の縁部から当該包装部材の内側にゴミや埃等が侵入し易くなって、当該包装部材の内側に配設された吸収性物品が不衛生な状態となる。
【０００５】
本発明の課題は、吸収性物品を衛生的に、且つ、コンパクトに包装・収納することができる吸収性物品の包装構造を提供することである。
【０００６】
【課題を解決するための手段】
請求項１に記載の発明は、例えば、図１及び図２に示すように、
表面側に配されるトップシート（１１）と、裏面側に配されるバックシート（１２）と、前記トップシートと前記バックシートとの間に配される吸収体（１３）とを備える複数の吸収性物品（例えば、生理用ナプキン１等）が、包装部材（２）により包装されて、ロール状に巻回された吸収性物品の包装構造（例えば、生理用ナプキンの包装構造体１００等）であって、
前記包装部材は、前記吸収性物品を前記トップシート側から被覆するための表面カバーシート（２１）と、前記吸収性物品を前記バックシート側から被覆するための裏面カバーシート（２２）とを備えて構成され、
前記表面カバーシート及び前記裏面カバーシートのうち、少なくとも一方のカバーシートは連続的に帯状に繋がって形成され、
前記表面カバーシート及び前記裏面カバーシートにより前記吸収性物品が挟まれ、且つ、少なくとも前記表面カバーシート及び前記裏面カバーシートの長手方向（Ｘ）の両縁部が互いに重ね合わされて封止されてなることを特徴としている。
【０００７】
請求項１に記載の発明によれば、表面カバーシート及び裏面カバーシートのうち、少なくとも一方のカバーシートは連続的に帯状に繋がって形成され、表面カバーシート及び裏面カバーシートにより吸収性物品が挟まれ、且つ、少なくとも表面カバーシート及び裏面カバーシートの長手方向の両縁部が互いに重ね合わされて封止され、これら表面カバーシート及び裏面カバーシート並びに吸収性物品がロール状に巻回されている。従って、表面カバーシート及び裏面カバーシートの長手方向の両縁部からのゴミや埃等の侵入を防止することができることとなって、吸収性物品を衛生的に、且つ、コンパクトに収納・包装することができる。
【０００８】
請求項２に記載の発明は、例えば、図１等に示すように、請求項１に記載の吸収性物品の包装構造において、
前記包装部材は、隣り合う二つの前記吸収性物品間に、前記吸収性物品を個別に切り離すための切目（例えば、ミシン目Ｌ等）が設けられていることを特徴としている。
【０００９】
請求項２に記載の発明によれば、請求項１に記載の発明と同様の効果が得られるのは無論のこと、特に、包装部材は、隣り合う二つの吸収性物品間に、吸収性物品を個別に切り離すための切目が設けられているので、吸収性物品の使用に際し、切目に沿って包装部材を切り取ることにより各吸収性物品の切り離しを容易に行うことができる。
【００１０】
請求項３に記載の発明は、請求項２に記載の吸収性物品の包装構造において、
前記表面カバーシート及び前記裏面カバーシートの前記切目の前後となる部分は、互いに重ね合わされ前記切目に沿って封止されてなることを特徴としている。
【００１１】
請求項３に記載の発明によれば、請求項２に記載の発明と同様の効果が得られるのは無論のこと、特に、表面カバーシート及び裏面カバーシートの切目の前後となる部分は、互いに重ね合わされ切目に沿って封止されているので、表面カバーシート及び裏面カバーシートの切目の前後となる部分からのゴミや埃等の侵入も防止することができることとなって、切目の前後に配された吸収性物品を衛生的に保つことができる。従って、例えば吸収性物品を携帯するに際し、切り離された吸収性物品が表面カバーシート及び裏面カバーシートにより四方封止されることとなって、衛生的に携帯することができる。
【００１２】
請求項４に記載の発明は、例えば、図６〜図８に示すように、
表面側に配されるトップシート（１１）と、裏面側に配されるバックシート（１２）と、前記トップシートと前記バックシートとの間に配される吸収体（１３）とを備える複数の吸収性物品（例えば、生理用ナプキン１）が、包装部材（６０２）により包装されて、ロール状に巻回された吸収性物品の包装構造（例えば、生理用ナプキンの包装構造体６００等）であって、
前記包装部材は、前記吸収性物品を前記トップシート側から被覆するための表面カバーシート（６２１）と、前記吸収性物品を前記バックシート側から被覆するための裏面カバーシート（６２２）とを備えて構成され、
前記裏面カバーシートは、連続的に帯状に繋がって形成され、
前記裏面カバーシートに前記吸収性物品の裏面が粘着され、且つ、少なくとも前記表面カバーシートの前記裏面カバーシートの幅方向（Ｗ）側の両縁部と、前記吸収性物品の前記表面カバーシートの幅方向側の両縁部とが重ね合わされて封止されてなることを特徴としている。
【００１３】
請求項４に記載の発明は、裏面カバーシートは、連続的に帯状に繋がって形成され、裏面カバーシートに吸収性物品の裏面が粘着され、且つ、少なくとも表面カバーシートの裏面カバーシートの幅方向側の両縁部と、吸収性物品の表面カバーシートの幅方向側の両縁部とが重ね合わされて封止され、これら表面カバーシート及び裏面カバーシート並びに吸収性物品がロール状に巻回されている。従って、表面カバーシートの裏面カバーシートの幅方向側の両縁部からのゴミや埃等の侵入を防止することができることとなって、吸収性物品を衛生的に、且つ、コンパクトに収納・包装することができる。
【００１４】
請求項５に記載の発明は、例えば、図６等に示すように、請求項４に記載の吸収性物品の包装構造において、
前記裏面カバーシートは、隣り合う二つの前記吸収性物品間に、前記吸収性物品を個別に切り離すための切目（例えば、ミシン目Ｌ）が設けられていることを特徴としている。
【００１５】
請求項５に記載の発明によれば、請求項４に記載の発明と同様の効果が得られるのは無論のこと、特に、裏面カバーシートは、隣り合う二つの吸収性物品間に、吸収性物品を個別に切り離すための切目が設けられているので、吸収性物品の使用に際し、切目に沿って包装部材を切り取ることにより各吸収性物品の切り離しを容易に行うことができる。
【００１６】
請求項６に記載の発明は、請求項４又は５に記載の吸収性物品の包装構造において、
前記表面カバーシートの幅方向の両縁部と、前記吸収性物品の幅方向の両縁部とは、重ね合わされて封止されてなることを特徴としている。
【００１７】
請求項６に記載の発明によれば、請求項４又は５に記載の発明と同様の効果が得られるのは無論のこと、特に、表面カバーシートの幅方向の両縁部と、吸収性物品の幅方向の両縁部とは、重ね合わされて封止されているので、表面カバーシートの幅方向の両縁部からのゴミや埃等の侵入も防止することができることとなって、吸収性物品を衛生的に保つことができる。
【００１８】
請求項７に記載の発明は、例えば、図１等に示すように、請求項１〜６の何れか一項に記載の吸収性物品の包装構造において、
前記吸収性物品は、その長手方向（Ａ）が前記包装部材の長手方向と略平行となるように配置され、
前記吸収性物品及び前記包装部材は、前記トップシートが内側となるように巻回されていることを特徴としている。
【００１９】
請求項７に記載の発明によれば、請求項１〜６に記載の発明と同様の効果が得られるのは無論のこと、特に、吸収性物品は、その長手方向が包装部材の長手方向と略平行となるように配置され、吸収性物品及び包装部材は、トップシートが内側となるように巻回されているので、吸収性物品の収納・包装時において、トップシートの表面が内側となるような曲げぐせが生じ易くなって、吸収性物品の装着性を高めることができる。また、例えば折り畳んで包装された吸収性物品の場合において生じる折りぐせに起因した液体の漏れを抑制することができるので、吸収性物品による液体の吸収効率を高めて、当該吸収性物品の商品価値を高めることができる。
【００２０】
請求項８に記載の発明は、請求項１〜７の何れか一項に記載の吸収性物品の包装構造において、
前記表面カバーシート及び前記裏面カバーシートは、水解性を有する材料から構成されていることを特徴としている。
【００２１】
請求項８に記載の発明によれば、請求項１〜７に記載の発明と同様の効果が得られるのは無論のこと、特に、表面カバーシート及び裏面カバーシートは、水解性を有する材料から構成されているので、吸収性物品の使用に際して、不要物となる表面カバーシート及び裏面カバーシートを、例えば水洗トイレット等に流して破棄することができる。
【００２２】
請求項９に記載の発明は、例えば、図２等に示すように、請求項１〜８の何れか一項に記載の吸収性物品の包装構造において、
前記吸収性物品の厚さ（Ｈ）は、８ｍｍ以下であることを特徴としている。
【００２３】
請求項９に記載の発明によれば、請求項１〜８に記載の発明と同様の効果が得られるのは無論のこと、特に、吸収性物品の厚さは、８ｍｍ以下であるので、吸収性物品のロール状包装を好適に行うことができる。
【００２４】
【発明の実施の形態】
以下に、本発明について、図面を用いて具体的な態様を説明する。ただし、発明の範囲は、図示例に限定されない。
【００２５】
［第一の実施の形態］
図１は、本発明を適用した吸収性物品の包装構造の好適な一例として例示する第一の実施の形態の生理用ナプキンの包装構造体を示す斜視図である。
図１に示すように、生理用ナプキンの包装構造体１００は、複数の生理用ナプキン１を、表面カバーシート２１及び裏面カバーシート２２とを有する包装部材２により包装して、ロール芯３を軸としてロール状に巻回したものである。
【００２６】
各生理用ナプキン１は、所定の厚さを有する略平板状の部材であり、例えば平面視にて、その長手方向Ａの両端部がわずかに膨らんだ形状に形成されている。
以下に、生理用ナプキン１の構造について、図２及び図３を参照してさらに詳細に説明する。ここで、図２は、図１のＩＩ−ＩＩ線における要部の拡大断面図であり、図３は、生理用ナプキンの包装構造体１００の表面カバーシート２１を開いた状態を示す要部拡大図である。
【００２７】
図２に示すように、生理用ナプキン１は、表面（肌との当接面としての使用面）側に配されたトップシート１１と、裏面側に配されたバックシート１２と、トップシート１１とバックシート１２との間に配された吸収体３とを備えて構成されている。
【００２８】
トップシート１１は、体液としての経血やおりもの等を速やかに透過させる透液性を有するように形成されている。従って、身体から排出された体液をトップシート１１を介して、吸収体１３に対し速やかに導くことができる。
トップシート１１は、例えば、有孔または無孔の不織布や、多孔性プラスチックシートなどにより形成されている。不織布を構成する素材繊維としては、例えば、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
なお、トップシート１１に多数の透孔を形成した場合には、経血やおりもの等の体液がより速やかに吸収されるようになって、ドライタッチ性に優れたものとなり、また、孔のないトップシートに比べて伸縮性の優れたものとすることもできる。
【００２９】
また、トップシート１１の長手方向Ａの両縁部には、シート端部材１１ａ、１１ａが設けられている。各シート端部材１１ａは、例えば、トップシート１１の表面側と一体的に設けられている。また、各シート端部材１１ａは、例えば不織布からなり、即ち、各シート端部材１１ａはトップシート１１と比べて低弾性となっている。
【００３０】
バックシート１２は、例えば、ポリエチレン等のような、不透液性の材料で構成されている。これにより、生理用ナプキン１の裏面側からの液漏れが確実に防止される。
また、バックシート１２は、例えば、ムレ防止の観点から透湿性を有するシート材であることが好ましく、この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
また、バックシート１２の裏面側には、当該生理用ナプキン１を裏面カバーシート２２に粘着するための粘着部１４が設けられている。この粘着部１４によって、生理用ナプキン１を身体に装着する際に、当該生理用ナプキン１を下着に固定することも可能となっている。
【００３１】
吸収体１３は、例えば綿状パルプ等のような吸収性に富んだ材料を基本とし、その中に液体そのものを吸収するポリマー材料を含むコアをクレープ紙等で包んだものにより構成されている。ここで、パルプは短時間で液体を吸収して保持する性質を有し、ポリマーは比較的緩やかではあるものの、確実に液体を吸収する性質を有している。
吸収体１３は、トップシート１１及びバックシート１２の中央側に設置され、人体から排出された経血が吸収体１３にて吸収されるようになっている。
なお、吸収体１３の周囲部分となるトップシート１１及びバックシートの周縁部は、例えばヒートシールなどにより封止されている。
【００３２】
上記構成の生理用ナプキン１は、表面カバーシート２１によりトップシート１１側から被覆され、裏面カバーシート２２によりバックシート１２側から被覆されることによって、当該表面カバーシート２１及び裏面カバーシート２２により包まれた状態となる。
【００３３】
表面カバーシート２１及び裏面カバーシート２２には、生理用ナプキン１の長手方向Ａが当該表面カバーシート２１及び裏面カバーシート２２の長手方向Ｘと略平行となるように複数の生理用ナプキン１、…が配置されている。
ここで、表面カバーシート２１及び裏面カバーシート２２は、例えば、略矩形状に形成された部材であり、複数の表面カバーシート２１及び裏面カバーシート２２が連続的に帯状に繋がった状態となっている。そして、表面カバーシート２１及び裏面カバーシート２２は、例えば、それぞれの端部どうしが略重なるように配設されている。
【００３４】
また、表面カバーシート２１及び裏面カバーシート２２のうち、各生理用ナプキン１の周辺部分は、封止されている。具体的には、表面カバーシート２１及び裏面カバーシート２２の長手方向Ｘの両縁部が、所定幅をもって封止されているとともに、表面カバーシート２１及び裏面カバーシート２２のうち、各生理用ナプキン１の前後となる部分が、表面カバーシート２１及び裏面カバーシート２２の幅方向に沿い所定幅をもって封止されている。これにより、各生理用ナプキン１が個別に包装された状態となっている。
【００３５】
上記の封止方法としては、表面カバーシート２１及び裏面カバーシート２２の封止部に、例えばホットメルト接着剤等ののりの塗布、或いは両面粘着性のテープの貼着を行って、外方から挟むように圧力を加えることで封止する方法や、ヒートシーラーを用いて、表面カバーシート２１及び裏面カバーシート２２の封止部をヒートシールする方法等が挙げられる。
【００３６】
そして、上記のように、生理用ナプキン１が表面カバーシート２１及び裏面カバーシート２２により挟まれた状態で、トップシート１１が内側となるように巻回されている。これにより、生理用ナプキン１の収納・包装時において、肌との当接面となるトップシート１１の表面が内側となるような曲げぐせが生じ易くなって、生理用ナプキン１の装着性を高めることができる。さらに、例えば折り畳んで包装された生理用ナプキン１の場合において生じる折りぐせに起因した経血の漏れを抑制することができるので、生理用ナプキン１による経血の吸収効率を高めて、当該生理用ナプキン１の商品の価値を高めることができる。
【００３７】
また、各生理用ナプキン１の前後における表面カバーシート２１及び裏面カバーシート２２の封止部、即ち、隣り合う２つの生理用ナプキン１、１間には、生理用ナプキン１を個別に切り離すためのミシン目（切目）Ｌが形成されている。このミシン目Ｌは、例えば、封止部の略中央となる位置にて表面カバーシート２１及び裏面カバーシート２２の幅方向にわたって形成されている。従って、ミシン目Ｌに沿って表面カバーシート２１及び裏面カバーシート２２を切り取ることにより各生理用ナプキン１の切り離しを容易に行うことができる。
さらに、例えば、生理用ナプキン１を携帯するに際し、必要な数の生理用ナプキン１を切り離すことも可能となり、切り離された生理用ナプキン１がロール状に巻回されることで、当該生理用ナプキン１をコンパクトにまとめて所持することもできる。
【００３８】
また、表面カバーシート２１及び裏面カバーシート２２の幅方向Ｗの長さは、例えば、トイレット用巻回衛生ロール紙（図示略）の幅方向の長さ以下とされ、具体的には、１００〜１１５ｍｍの範囲とされている。これにより、トイレット用巻回衛生ロール紙ホルダーに、ロール状に包装された生理用ナプキン１を収納可能となり、トイレット（図示略）内において、生理用ナプキン１の収納場所を確保することができるとともに、生理用ナプキン１の使用に際しては、生理用ナプキン１をトイレット用巻回衛生ロール紙ホルダーから取り出すだけで良く、生理用ナプキン１の取扱性を向上させることができる。
【００３９】
さらに、表面カバーシート２１及び裏面カバーシート２２は、それぞれ水解性を有する材料から構成されている。これにより、表面カバーシート２１及び裏面カバーシート２２を構成する繊維は、水分に接触することで解れることとなる。従って、生理用ナプキン１の使用に際して、不要物となる表面カバーシート２１及び裏面カバーシート２２を、例えば水洗トイレット（図示略）等に流して破棄することができる。
【００４０】
また、本実施の形態における生理用ナプキン１の厚さＨは、８ｍｍ以下とされている。上限を８ｍｍと規定したのは、８ｍｍを上回ると、生理用ナプキン１並びに表面カバーシート２１及び裏面カバーシート２２の厚みが大きくなりすぎて、生理用ナプキン１のロール状包装を好適に行えなくなるからである。
また、本実施の形態において、ロール芯３の直径は、例えば、長手方向Ａの長さが２０ｃｍの生理用ナプキン１が一周しない程度とされるのが好ましい。これにより、生理用ナプキン１の取出性の向上を図ることができる。
【００４１】
以上のように、本実施の形態の生理用ナプキンの包装構造体１００によれば、表面カバーシート２１及び裏面カバーシート２２により生理用ナプキン１が挟まれ、且つ、表面カバーシート２１及び裏面カバーシート２２の長手方向Ｘの両縁部が互いに重ね合わされて封止され、これら表面カバーシート２１及び裏面カバーシート２２並びに生理用ナプキン１がロール状に巻回されているので、表面カバーシート２１及び裏面カバーシート２２の長手方向Ｘの両縁部からのゴミや埃等の侵入を防止することができることとなって、生理用ナプキン１を衛生的に、且つ、コンパクトに収納・包装することができる。
【００４２】
また、表面カバーシート２１及び裏面カバーシート２２のミシン目Ｌの前後となる部分は、ミシン目Ｌに沿って封止されているので、表面カバーシート２１及び裏面カバーシート２２のミシン目Ｌの前後となる部分からのゴミや埃等の侵入を防止することができることとなって、ミシン目Ｌの前後に配された生理用ナプキン１を衛生的に保つことができる。
従って、例えば、生理用ナプキン１を携帯するに際し、切り離された生理用ナプキン１が表面カバーシート２１及び裏面カバーシート２２により四方封止されることとなって、衛生的に携帯することができる。
【００４３】
なお、上記実施の形態では、表面カバーシート２１及び裏面カバーシート２２のうち、各生理用ナプキン１の周辺部分となる表面カバーシート２１及び裏面カバーシート２２の周縁部が所定幅をもって封止されるようにしたが、これに限られるものではなく、表面カバーシート２１及び裏面カバーシート２２のうち、少なくとも重ね合わされた表面カバーシート２１及び裏面カバーシート２２の長手方向の両縁部が封止されていれば良い。即ち、例えば、図４（ａ）に示すように、表面カバーシート２１及び裏面カバーシート２２の長手方向Ｘの両縁部が互いに重ね合わされて封止されることにより、包装部材２０２によって生理用ナプキン１が包装された生理用ナプキンの包装構造体２００であっても良いし、例えば、図４（ｂ）に示すように、表面カバーシート２１及び裏面カバーシート２２により各生理用ナプキン１の周辺部分が全て封止されることにより、包装部材３０２によって当該生理用ナプキン１が包装された生理用ナプキンの包装構造体３００であっても良い。
【００４４】
＜変形例１＞
この変形例１の生理用ナプキンの包装構造体４００は、図５に示すように、複数の裏面カバーシート２２が連続的に帯状に繋がって形成され、生理用ナプキン１の各々に対応するように複数の表面カバーシート４２１を間欠的に配設したものである。
即ち、生理用ナプキンの包装構造体４００は、例えば、図５（ａ）に示すように、表面カバーシート４２１の長手方向Ｘの長さが、裏面カバーシート２２の長手方向Ｘの長さよりもわずかに短く、且つ、生理用ナプキン１の長手方向Ａの長さよりも長くなるように形成されている。そして、表面カバーシート４２１及び裏面カバーシート２２の長手方向Ｘの両縁部が互いに重ね合わされて封止されることにより、包装部材４０２によって生理用ナプキン１が包装された状態となっている。
従って、変形例１によれば、上記実施の形態と同様に、表面カバーシート４２１及び裏面カバーシート２２の長手方向Ｘの両縁部からのゴミや埃等の侵入を防止することができることとなって、生理用ナプキン１を衛生的に、且つ、コンパクトに収納・包装することができる。
【００４５】
また、上記の変形例において、例えば、図５（ｂ）に示すように、生理用ナプキンの包装構造体５００は、表面カバーシート４２１の幅方向Ｗの両縁部と、裏面カバーシート２２の前記両縁部に重ね合わされて対向する部分とが封止されることにより、包装部材５０２によって生理用ナプキン１が包装された構造であっても良い。
【００４６】
なお、上記実施の形態及び変形例１では、幅方向の長さの等しい表面カバーシート２１（４２１）及び裏面カバーシート２２を例示したが、これに限られるものではなく、表面カバーシート２１及び裏面カバーシート２２は、当該表面カバーシート２１及び裏面カバーシート２２により生理用ナプキン１が挟まれ、且つ、少なくとも表面カバーシート２１及び裏面カバーシート２２の長手方向の両縁部が互いに重ね合わされて封止可能であれば如何なる形状であっても良い。
【００４７】
さらに、上記実施の形態及び変形例１では、ウイング状フラップ（図８参照；後述）やヒップホールド用フラップ（図示略）を備えない生理用ナプキン１について、例示したが、上記ウイング状フラップやヒップホールド用フラップを備える生理用ナプキンにあっては、包装部材２（２０２、３０２、４０２、５０２）によって、ウイング状フラップやヒップホールド用フラップが折り返された状態で包装されても良いし、ウイング状フラップやヒップホールド用フラップが折り返されていない状態で包装されても良い。
【００４８】
［第二の実施の形態］
以下に、本発明を適用した第二の実施の形態の生理用ナプキンの包装構造体について、図６を参照して説明する。
ここで、図６（ａ）は、第二の実施の形態の生理用ナプキンの包装構造体６００を示す平面図であり、図６（ｂ）は、図６（ａ）のｂ−ｂ線における要部の拡大断面図である。
【００４９】
図６に示すように、生理用ナプキンの包装構造体６００は、包装部材６０２として、連続的に帯状に繋がって形成された裏面カバーシート６２２と、例えば生理用ナプキン１と略等しい形状に形成された表面カバーシート６２１とを備えている。
具体的には、例えば、図６（ｂ）に示すように、裏面カバーシート６２２の表面には、生理用ナプキン１の裏面が粘着部１４によって粘着されている。また、表面カバーシート６２１の長手方向Ｘの両縁部（裏面カバーシート６２２の幅方向（Ｗ）側の両縁部）の裏面には、当該両縁部に沿い所定幅を有する粘着部１５、１５が設けられており、これら粘着部１５によって、重ね合わされた各表面カバーシート６２１の長手方向Ｘの両縁部と、各生理用ナプキン１の長手方向Ａの両縁部（表面カバーシート６２１の幅方向側の両縁部）に配されたシート端部材１１ａ、１１ａとが粘着（封止）されている。
なお、図示は省略するが、生理用ナプキンの包装構造体６００は、上記第一の実施の形態の生理用ナプキンの包装構造体１００と同様に、包装部材６０２及び生理用ナプキン１がロール状に巻回可能とされている。
【００５０】
以上のように、第二の実施の形態の生理用ナプキンの包装構造体６００によれば、表面カバーシート６２１の長手方向の両縁部からのゴミや埃等の侵入を防止することができることとなって、生理用ナプキン１を衛生的に、且つ、コンパクトに収納・包装することができる。
【００５１】
なお、上記第二の実施の形態では、各表面カバーシート６２１の長手方向Ｘの両縁部と、各生理用ナプキン１の長手方向Ａの両縁部とが封止された生理用ナプキンの包装構造体６００を例示したが、これに限られるものではない。例えば、図７（ａ）に示すように、表面カバーシート７２１によって、生理用ナプキン１の長手方向Ａの両縁部に加え、当該生理用ナプキン１の幅方向の両縁部が封止されることにより、包装部材７０２によって生理用ナプキン１が包装された生理用ナプキンの包装構造体７００であっても良い。即ち、表面カバーシート７２１の外周縁部と、生理用ナプキン１の外周縁部とが重ね合わされて封止されている。この場合、表面カバーシート７２１の外周縁部の裏面に、当該外周縁部に沿って、且つ、所定幅を有する粘着部１６が設けられている。このように、表面カバーシート７２１の幅方向の両縁部と、生理用ナプキン１の幅方向の両縁部とは、重ね合わされて封止されているので、表面カバーシート７２１の幅方向の両縁部からのゴミや埃等の侵入も防止することができることとなって、生理用ナプキン１を衛生的に保つことができる。また、例えば、図７（ｂ）に示すように、表面カバーシート７２１の裏面全面が生理用ナプキン１の表面全面に粘着されることにより、包装部材８０２によって生理用ナプキン１が包装された生理用ナプキンの包装構造体８００であっても良い。この場合、表面カバーシート７２１の裏面全面に、粘着部１７が設けられている。
【００５２】
＜変形例２＞
この変形例２の生理用ナプキンの包装構造体９００は、図８に示すように、生理用ナプキン９０１を下着（図示略）に固定する際に、当該下着に止着されるウイング状フラップ１８、１８を備えた生理用ナプキン９０１を、包装部材９０２によって包装したものである。
ここで、図８（ａ）は、生理用ナプキンの包装構造体９００を構成する生理用ナプキン９０１を示す平面図であり、図８（ｂ）は、ウイング状フラップ１８を折り返した状態の生理用ナプキン９０１を示す平面図であり、図８（ｃ）は、変形例２の生理用ナプキンの包装構造体９００を示す平面図である。
【００５３】
ウイング状フラップ１８は、図８（ａ）に示すように、例えばバックシート１２とシート端部材１１ａとが接着されてなる積層シート部分が、当該生理用ナプキン９０１の長手方向Ａの縁部中央から側方に突出するようにして形成されている。また、各ウイング状フラップ１８の外面側（図８におけるウイング状フラップ１８の裏面側）には、粘着部１９（図８（ｂ）参照）が設けられており、生理用ナプキン９０１を装着する際に、ウイング状フラップ１８を人体と反対側に折り返すことで、例えば、下着のクロッチ部分に巻き付けて止着可能となっている。
【００５４】
次に、上記のように構成された生理用ナプキン９０１の包装部材による包装手順について説明する。
先ず、図８（ｂ）に示すように、生理用ナプキン９０１の二つのウイング状フラップ１８、１８をトップシート１１側に折り返す。これにより、生理用ナプキン９０１は、平面視において、ウイング状フラップ１８を備えない生理用ナプキン（例えば、生理用ナプキン１（図１等参照））と略同形状とすることができる。
次に、ウイング状フラップ１８が折り返された生理用ナプキン９０１を、その裏面に配設された粘着部１９によって裏面カバーシート６２２の表面に粘着させる。
続けて、生理用ナプキン９０１の表面を、表面カバーシート９２１によって被覆する。具体的には、表面カバーシート９２１の外周縁部に沿って配設された粘着部２０によって、重ね合わされた表面カバーシート９２１の外周縁部と、生理用ナプキン９０１の外周縁部とが封止される。これにより、ウイング状フラップ１８が設けられた従来の生理用ナプキンに備わる、前記ウイング状フラップ１８の外面側に設けられた粘着部１９を被覆するための例えばフィルム等の被覆部材を必要とすることなく、表面カバーシート９２１によって生理用ナプキン９０１の表面及びウイング状フラップ１８の粘着部１９の双方を被覆することができる。
従って、ウイング状フラップ１８を備えた生理用ナプキン９０１を、前記被覆部材の分、コンパクトに包装することができる。
【００５５】
なお、裏面カバーシート６２２に対する生理用ナプキン９０１の粘着と、生理用ナプキン９０１の表面カバーシート９２１による被覆の順序は、適宜任意に変更可能であり、例えば、上記の順序が反対であっても良い。
【００５６】
また、上記変形例２では、表面カバーシート９２１によって、ウイング状フラップ１８に配設された粘着部１９を被覆するような構成としたが、これに限られるものではなく、前記粘着部１９を被覆するための被覆部材を、前記表面カバーシート９２１とは別に設けるようにしても良いのは勿論である。
さらに、生理用ナプキン９０１を、ウイング状フラップ１８を折り返さずに、当該ウイング状フラップ１８が開いた状態で、包装部材９０２によって包装するような構成としても良いのは勿論である。
【００５７】
また、生理用ナプキン１（９０１）の使用者の臀部をより広く覆うためのヒップホールド用フラップを備えた生理用ナプキン１の場合には、包装部材によって、上記変形例２と同様に、ヒップホールド用フラップを人体側若しくは人体と反対側に折り返した状態で包装されても良いし、ヒップホールド用フラップを折り返さずに、前記ヒップホールド用フラップが開いた状態で包装されても良いのは勿論である。
さらに、ヒップホールド用フラップ及びウイング状フラップ１８の折り方法は、周知の方法であれば如何なる方法も適用可能となっている。
【００５８】
なお、上記第二の実施の形態及び変形例２では、表面カバーシート９２１を生理用ナプキン１並びにウイング状フラップ１８を折り返した生理用ナプキン９０１と略等しい形状とするようにしたが、これに限られるものではなく、少なくとも表面カバーシート９２１の裏面カバーシート６２２の幅方向Ｗ側の両縁部と、生理用ナプキン９０１の表面カバーシート９２１の幅方向側の両縁部とが重ね合わされて封止可能であれば如何なる形状であっても良い。
【００５９】
また、上記第二の実施の形態及び変形例２では、表面カバーシート６２１（７２１、８２１、９２１）と生理用ナプキン１（９０１）とを粘着部１５（１６、１７、２０）を介して重ね合わせることにより、封止するような構成としたが、これに限られるものではなく、表面カバーシート６２１と生理用ナプキン１との封止方法は如何なる方法であっても良い。
【００６０】
なお、本発明は、上記実施の形態に限定されることなく、本発明の趣旨を逸脱しない範囲において、種々の改良並びに設計の変更を行っても良い。
例えば、表面カバーシート２１（４２１、６２１、７２１、８２１、９２１）及び裏面カバーシート２２（６２２）を、水解性を有する材料から構成するようにしたが、これに限られるものではなく、例えば、水洗トイレ等に流して破棄することを目的とする場合、水溶性を有する材料から構成しても良い。
【００６１】
また、上記実施形態では、ロール芯３を軸として、生理用ナプキン１並びに表面カバーシート２１及び裏面カバーシート２２を巻回するようにしたが、ロール芯３を使用するか否かは適宜任意に変更可能となっている。さらに、生理用ナプキン１並びに表面カバーシート２１及び裏面カバーシート２２の巻回方法は、如何なる方法であっても良い。
さらに、上記実施の形態では、吸収性物品として生理用ナプキン１（９０１）の例を示したが、例えば失禁用品のような、他の吸収性物品であっても良いことは勿論である。
加えて、本発明の目的を達成する範囲内であれば、その他、具体的な細部構造等についても適宜に変更可能であることは勿論である。
【００６２】
【発明の効果】
請求項１に記載の発明によれば、表面カバーシート及び裏面カバーシートの長手方向の両縁部からのゴミや埃等の侵入を防止することができることとなって、吸収性物品を衛生的に、且つ、コンパクトに収納・包装することができる。
【００６３】
請求項２に記載の発明によれば、包装部材は、隣り合う二つの吸収性物品間に、吸収性物品を個別に切り離すための切目が設けられているので、吸収性物品の使用に際し、切目に沿って包装部材を切り取ることにより各吸収性物品の切り離しを容易に行うことができる。
【００６４】
請求項３に記載の発明によれば、表面カバーシート及び裏面カバーシートの切目の前後となる部分は、互いに重ね合わされ切目に沿って封止されているので、表面カバーシート及び裏面カバーシートの切目の前後となる部分からのゴミや埃等の侵入も防止することができることとなって、切目の前後に配された吸収性物品を衛生的に保つことができる。
【００６５】
請求項４に記載の発明によれば、表面カバーシートの裏面カバーシートの幅方向側の両縁部からのゴミや埃等の侵入を防止することができることとなって、吸収性物品を衛生的に、且つ、コンパクトに収納・包装することができる。
【００６６】
請求項５に記載の発明によれば、裏面カバーシートは、隣り合う二つの吸収性物品間に、吸収性物品を個別に切り離すための切目が設けられているので、吸収性物品の使用に際し、切目に沿って包装部材を切り取ることにより各吸収性物品の切り離しを容易に行うことができる。
【００６７】
請求項６に記載の発明によれば、表面カバーシートの幅方向の両縁部と、吸収性物品の幅方向の両縁部とは、重ね合わされて封止されているので、表面カバーシートの幅方向の両縁部からのゴミや埃等の侵入も防止することができることとなって、吸収性物品を衛生的に保つことができる。
【００６８】
請求項７に記載の発明によれば、吸収性物品の収納・包装時において、トップシートの表面が内側となるような曲げぐせが生じ易くなって、吸収性物品の装着性を高めることができる。また、例えば折り畳んで包装された吸収性物品の場合において生じる折りぐせに起因した液体の漏れを抑制することができるので、吸収性物品による液体の吸収効率を高めて、当該吸収性物品の商品価値を高めることができる。
【００６９】
請求項８に記載の発明によれば、表面カバーシート及び裏面カバーシートは、水解性を有する材料から構成されているので、吸収性物品の使用に際して、不要物となる表面カバーシート及び裏面カバーシートを、例えば水洗トイレット等に流して破棄することができる。
【００７０】
請求項９に記載の発明によれば、吸収性物品の厚さは、８ｍｍ以下であるので、吸収性物品のロール状包装を好適に行うことができる。
【図面の簡単な説明】
【図１】本発明を適用した吸収性物品の包装構造の好適な一例として例示する第一の実施の形態の生理用ナプキンの包装構造体を示す斜視図である。
【図２】図１のＩＩ−ＩＩ線における要部の拡大断面図である。
【図３】図１の生理用ナプキンの包装構造体の表面カバーシートを開いた状態を示す要部拡大図である。
【図４】図１の生理用ナプキンの包装構造体と異なる一例を示す平面図である。
【図５】生理用ナプキンの包装構造体の変形例１を示す平面図である。
【図６】本発明を適用した吸収性物品の包装構造の好適な一例として例示する第二の実施の形態の生理用ナプキンの包装構造体を示す図である。
【図７】図６の生理用ナプキンの包装構造体と異なる一例を示す平面図である。
【図８】生理用ナプキンの包装構造体の変形例２を示す平面図である。
【符号の説明】
１００、２００、３００、４００、５００、６００、７００、８００、９００  生理用ナプキンの包装構造体（吸収性物品の包装構造）
１、９０１  生理用ナプキン（吸収性物品）
１１        トップシート
１２        バックシート
１３        吸収体
２、２０２、３０２、４０２、５０２、６０２、７０２、８０２、９０２  包装部材
２１、４２１、６２１、７２１、８２１、９２１  表面カバーシート
２２、６２２  裏面カバーシート
Ｌ          ミシン目（切目）
Ａ          長手方向
Ｘ          長手方向
Ｗ          幅方向
Ｈ          厚さ
【図１】
2004290598.tif 000003
【図２】
2004290598.tif 000004
【図３】
2004290598.tif 000005
【図４】
2004290598.tif 000006
【図５】
2004290598.tif 000007
【図６】
2004290598.tif 000008
【図７】
2004290598.tif 000009
【図８】
2004290598.tif 000010